【手続補正書】
【提出日】平成28年8月16日(2016.8.16)
【手続補正１】
【補正対象書類名】特許請求の範囲
【補正対象項目名】全文
【補正方法】変更
【補正の内容】
【特許請求の範囲】
【請求項１】
バイノーラルオーディオレンダリングの方法であって、
変換情報および符号化されたオーディオデータを含むビットストリームを取得することと、
減少された複数の階層的な要素を取得するために前記符号化されたオーディオデータを復号することと、前記変換情報は、前記減少された複数の階層的な要素を生成するために複数の階層的な要素によって表される音場がどのように変換されたかについて説明し、前記減少された複数の階層的な要素は、前記複数の階層的な要素の数よりも小さい階層的な要素の数を有する、
前記変換情報に基づいて、前記減少された複数の階層的な要素に対して前記バイノーラルオーディオレンダリングを実行することと
を備える、バイノーラルオーディオレンダリングの方法。
【請求項２】
前記バイノーラルオーディオレンダリングを実行することは、前記変換情報に基づいて、前記減少された複数の階層的な要素をレンダリングする基準フレームを複数のチャンネルに変換することを備える、請求項１に記載の方法。
【請求項３】
前記変換情報は、前記音場が変換された仰角角度と方位角角度とを少なくとも指定する回転情報を備える、請求項１に記載の方法。
【請求項４】
前記バイノーラルオーディオレンダリングを実行することは、
前記変換情報に基づいて、レンダリング関数が前記減少された複数の階層的な要素をレンダリング可能である基準フレームを変換することと、
前記変換されたレンダリング関数に対してエネルギー保存関数を適用することと
を備える、請求項１に記載の方法。
【請求項５】
前記バイノーラルオーディオレンダリングを実行することは、
前記変換情報に基づいて、レンダリング関数が前記減少された複数の階層的な要素をレンダリング可能である基準フレームを変換することによって前記レンダリング関数を変換することと、
乗算演算を使用して、前記変換されたレンダリング関数を複素数両耳室内インパルス応答関数と結合することと
を備える、請求項１に記載の方法。
【請求項６】
前記バイノーラルオーディオレンダリングを実行することは、
前記変換情報に基づいて、レンダリング関数が前記減少された複数の階層的な要素をレンダリング可能である基準フレームを変換することによって前記レンダリング関数を変換することと、
畳み込み演算を必要とすることなく、乗算演算を使用して、前記変換されたレンダリング関数を複素数両耳室内インパルス応答関数と結合することと
を備える、請求項１に記載の方法。
【請求項７】
前記バイノーラルオーディオレンダリングを実行することは、
前記変換情報に基づいて、レンダリング関数が前記減少された複数の階層的な要素をレンダリング可能である基準フレームを変換することによってレンダリング関数を変換することと、
回転されたバイノーラルオーディオレンダリング関数を生成するために、前記変換されたレンダリング関数を複素数両耳室内インパルス応答関数と結合することと、
左チャンネルと右チャンネルとを生成するために、前記回転されたバイノーラルオーディオレンダリング関数を前記減少された複数の階層的な要素に適用することと
を備える、請求項１に記載の方法。
【請求項８】
前記複数の階層的な要素は複数の球面調和係数を備え、前記複数の球面調和係数のうち少なくとも１つは、１よりも大きい次数と関連付けられる、請求項１に記載の方法。
【請求項９】
解析された符号化されたオーディオデータを取得するために、前記ビットストリームからの前記符号化されたオーディオデータを解析することと、
前記減少された複数の階層的な要素を取得するために、前記解析された符号化されたオーディオデータを復号することと、
前記ビットストリームからの前記変換情報を解析することと
をさらに備える、請求項１に記載の方法。
【請求項１０】
前記複数の階層的な要素によって表される前記音場に対する聴取者の頭部の位置を取得することと、
前記変換情報および前記聴取者の前記頭部の前記位置に基づいて、更新された変換情報を決定することと
をさらに備え、
ここにおいて、前記バイノーラルオーディオレンダリングを実行することは、前記更新された変換情報に基づいて、前記減少された複数の階層的な要素に対して前記バイノーラルオーディオレンダリングを実行することを備える、請求項１に記載の方法。
【請求項１１】
１つまたは複数のプロセッサは、
変換情報および符号化されたオーディオデータを含むビットストリームを取得し、
減少された複数の階層的な要素を取得するために前記符号化されたオーディオデータを復号し、前記変換情報は、前記減少された複数の階層的な要素を生成するために複数の階層的な要素によって表される音場がどのように変換されたかについて説明し、前記減少された複数の階層的な要素は、前記複数の階層的な要素の数よりも小さい階層的な要素の数を有する、
前記変換情報に基づいて、前記減少された複数の階層的な要素に対してバイノーラルオーディオレンダリングを実行する
ように構成される、前記１つまたは複数のプロセッサを備えるデバイス。
【請求項１２】
前記バイノーラルオーディオレンダリングを実行するために、前記１つまたは複数のプロセッサは、前記変換情報に基づいて、前記減少された複数の階層的な要素をレンダリングする基準フレームを複数のチャンネルに変換するようにさらに構成される、請求項１１に記載のデバイス。
【請求項１３】
前記変換情報は、前記音場が変換された仰角角度と方位角角度とを少なくとも指定する回転情報を備える、請求項１１に記載のデバイス。
【請求項１４】
前記バイノーラルオーディオレンダリングを実行するために、前記１つまたは複数のプロセッサは、前記変換情報に基づいて、レンダリング関数が前記減少された複数の階層的な要素をレンダリング可能である基準フレームを変換し、前記変換されたレンダリング関数に対してエネルギー保存関数を適用するようにさらに構成される、請求項１１に記載のデバイス。
【請求項１５】
前記バイノーラルオーディオレンダリングを実行するために、前記１つまたは複数のプロセッサは、前記変換情報に基づいて、レンダリング関数が前記減少された複数の階層的な要素をレンダリング可能である基準フレームを変換することによって前記レンダリング関数を変換し、乗算演算を使用して、前記変換されたレンダリング関数を複素数両耳室内インパルス応答関数と結合するようにさらに構成される、請求項１１に記載のデバイス。
【請求項１６】
前記バイノーラルオーディオレンダリングを実行するために、前記１つまたは複数のプロセッサは、前記変換情報に基づいて、レンダリング関数が前記減少された複数の階層的な要素をレンダリング可能である基準フレームを変換することによって前記レンダリング関数を変換し、畳み込み演算を必要とすることなく、乗算演算を使用して、前記変換されたレンダリング関数を複素数両耳室内インパルス応答関数と結合するようにさらに構成される、請求項１１に記載のデバイス。
【請求項１７】
前記バイノーラルオーディオレンダリングを実行するために、前記１つまたは複数のプロセッサは、前記変換情報に基づいて、レンダリング関数が前記減少された複数の階層的な要素をレンダリング可能である基準フレームを変換することによって前記レンダリング関数を変換し、回転されたバイノーラルオーディオレンダリング関数を生成するために、前記変換されたレンダリング関数を複素数両耳室内インパルス応答関数と結合し、左チャンネルと右チャンネルとを生成するために、前記回転されたバイノーラルオーディオレンダリング関数を前記減少された複数の階層的な要素に適用するようにさらに構成される、請求項１１に記載のデバイス。
【請求項１８】
前記複数の階層的な要素は複数の球面調和係数を備え、前記複数の球面調和係数のうち少なくとも１つは、１よりも大きい次数と関連付けられる、請求項１１に記載のデバイス。
【請求項１９】
前記１つまたは複数のプロセッサは、
前記ビットストリームからの前記符号化されたオーディオデータを解析し、
前記減少された複数の階層的な要素を生成するために、前記解析された符号化されたオーディオデータを復号し、
前記ビットストリームからの前記変換情報を解析する
ようにさらに構成される、請求項１１に記載のデバイス。
【請求項２０】
前記１つまたは複数のプロセッサは、
前記複数の階層的な要素によって表される前記音場に対する聴取者の頭部の位置を取得し、
前記変換情報および前記聴取者の前記頭部の前記位置に基づいて、更新された変換情報を決定する
ようにさらに構成され、
ここにおいて、前記バイノーラルオーディオレンダリングを実行するために、前記１つまたは複数のプロセッサは、前記更新された変換情報に基づいて、前記減少された複数の階層的な要素に対して前記バイノーラルオーディオレンダリングを実行するようにさらに構成される、請求項１１に記載のデバイス。
【請求項２１】
変換情報および符号化されたオーディオデータを含むビットストリームを取得するための手段と、
減少された複数の階層的な要素を取得するために前記符号化されたオーディオデータを復号するための手段と、前記変換情報は、前記減少された複数の階層的な要素を生成するために複数の階層的な要素によって表される音場がどのように変換されたかについて説明し、前記減少された複数の階層的な要素は、前記複数の階層的な要素の数よりも小さい階層的な要素の数を有する、
前記変換情報に基づいて、前記減少された複数の階層的な要素に対してバイノーラルオーディオレンダリングを実行するための手段と
を備える装置。
【請求項２２】
前記バイノーラルオーディオレンダリングを実行するための前記手段は、前記変換情報に基づいて、前記減少された複数の階層的な要素をレンダリングする基準フレームを複数のチャンネルに変換するための手段を備える、請求項２１に記載の装置。
【請求項２３】
前記変換情報は、前記音場が変換された仰角角度と方位角角度とを少なくとも指定する回転情報を備える、請求項２１に記載の装置。
【請求項２４】
前記バイノーラルオーディオレンダリングを実行するための前記手段は、
前記変換情報に基づいて、レンダリング関数が前記減少された複数の階層的な要素をレンダリング可能である基準フレームを変換するための手段と、
前記変換されたレンダリング関数に対してエネルギー保存関数を適用するための手段と
を備える、請求項２１に記載の装置。
【請求項２５】
前記バイノーラルオーディオレンダリングを実行するための前記手段は、
前記変換情報に基づいて、レンダリング関数が前記減少された複数の階層的な要素をレンダリング可能である基準フレームを変換することによって前記レンダリング関数を変換するための手段と、
畳み込み演算を必要とすることなく、乗算演算を使用して、前記変換されたレンダリング関数を複素数両耳室内インパルス応答関数と結合するための手段と
を備える、請求項２１に記載の装置。
【請求項２６】
前記バイノーラルオーディオレンダリングを実行するための前記手段は、
前記変換情報に基づいて、レンダリング関数が前記減少された複数の階層的な要素をレンダリング可能である基準フレームを変換することによって前記レンダリング関数を変換するための手段と、
回転されたバイノーラルオーディオレンダリング関数を生成するために、前記変換されたレンダリング関数を複素数両耳室内インパルス応答関数と結合するための手段と、
左チャンネルと右チャンネルとを生成するために、前記回転されたバイノーラルオーディオレンダリング関数を前記減少された複数の階層的な要素に適用するための手段と
を備える、請求項２１に記載の装置。
【請求項２７】
前記複数の階層的な要素は複数の球面調和係数を備え、前記複数の球面調和係数のうち少なくとも１つは、１よりも大きい次数と関連付けられる、請求項２１に記載の装置。
【請求項２８】
解析された符号化されたオーディオデータを取得するために、前記ビットストリームからの前記符号化されたオーディオデータを解析するための手段と、
前記減少された複数の階層的な要素を取得するために、前記解析された符号化されたオーディオデータを復号するための手段と、
前記ビットストリームからの前記変換情報を解析するための手段と、
をさらに備える、請求項２１に記載の装置。
【請求項２９】
前記複数の階層的な要素によって表される前記音場に対する聴取者の頭部の位置を取得するための手段と、
前記変換情報および前記聴取者の前記頭部の前記位置に基づいて、更新された変換情報を決定するための手段と
をさらに備え、
ここにおいて、前記バイノーラルオーディオレンダリングを実行するための前記手段は、前記更新された変換情報に基づいて、前記減少された複数の階層的な要素に対して前記バイノーラルオーディオレンダリングを実行するための手段を備える、請求項２１に記載の装置。
【請求項３０】
実行されると、１つまたは複数のプロセッサを、
変換情報および符号化されたオーディオデータを含むビットストリームを取得し、
減少された複数の階層的な要素を取得するために前記符号化されたオーディオデータを復号し、前記変換情報は、前記減少された複数の階層的な要素を生成するために複数の階層的な要素によって表される音場がどのように変換されたかについて説明し、前記減少された複数の階層的な要素は、前記複数の階層的な要素の数よりも小さい階層的な要素の数を有する、
前記変換情報に基づいて、前記減少された複数の階層的な要素に対してバイノーラルオーディオレンダリングを実行する
ように構成する、その上に記憶された命令を備える、非一時的コンピュータ可読記憶媒体。